(57)【要約】【課題】  登山や釣りなどの野外活動時に、炊事に必要な加熱器具がなくても発熱体を利用して簡単に食べ物の調理や料理を温めることができる発熱容器を提供する。【解決手段】  発熱体ｈを入れて水を注ぐ本体１１０と、本体１１０に挿入されて、内部に食べ物を入れて調理する内装容器１２０と、内装容器１２０の開放された上部を密閉して、密閉時本体と結合される密閉蓋１３０と、を備え、本体１１０と内装容器１２０は剛性材料で形成されて、本体１１０内で水が沸く時発生する水蒸気が本体１１０と内装容器１２０の隙間を通して外部に排出される。内装容器１２０が密閉蓋１３０と完全に密閉されることで本体１１０が傾いても本体１１０と内装容器１２０の間に入っている水が内装容器１２０の中に流入する恐れがなく、水蒸気の排出のための排出穴の加工がいらないので、製作費用の削減効果がある。【選択図】    図２
0003191693.tif 000002
【実用新案登録請求の範囲】
【請求項１】
発熱体を入れて水を注ぐ本体と、
上記の本体に挿入されて、内部に食べ物を入れて調理する内装容器と、
上記の内装容器の開放された上部を密閉して、密閉時上記の本体と結合される密閉蓋と
、を備えており、
上記の本体と上記の内装容器は剛性材料で形成されて、上記の本体内で水が沸く時発生
する水蒸気が上記の本体と上記の内装容器の隙間を通して外部に排出されるように作られ
た発熱容器。
【請求項２】
請求項１において、上記の内装容器と密着する上記の密閉蓋の密着部分は延性材料で形
成されて、上記の内装容器と上記の密閉蓋は密着することを特徴とする発熱容器。
【請求項３】
請求項１または請求項２において、上記の密閉蓋を上記の本体に結合させる脱着片が上
記の密閉蓋または本体に形成されることを特徴とする発熱容器。
【請求項４】
請求項１において、上記の本体の開放された上段には上記の内装容器の上段が安着され
る安着部が形成されて、上記の内装容器の開放された上段には上記の本体の安着部に掛か
って上記の内装容器が上記の本体内にこれ以上挟まれないようにする掛け部が形成される
ことを特徴とする発熱容器。
【請求項５】
請求項４において、上記の本体の安着部と上記の内装容器の掛け部の間の間隙は０．０
５〜０．１５ｍｍであることを特徴とする発熱容器。
【請求項６】
請求項１において、上記の本体の上段部には上記の内装容器の上段を外部に露出させる
露出ホームが形成されることを特徴とする発熱容器。
【請求項７】
請求項１において、上記の本体の内側底面と上記の内装容器の間には、上記の本体に対
し上記の内装容器を弾性支持する弾性部材が設置され、上記の本体の内側底面には上記の
弾性部材の下段が挟まれて上記の弾性部材の位置を正せる固定突起が突出形成されること
を特徴とする発熱容器。
【請求項８】
請求項３において、上記の本体を包んで、上記の発熱体の発熱時発生する熱が上記の本
体を通して外部に放出され失われることを防止する保温材をさらに含むことを特徴とする
発熱容器。
【考案の詳細な説明】
【技術分野】
【０００１】
本考案は、発熱容器に関するもので、詳しくは、登山や釣りなどの野外活動時に、炊事
に必要な加熱器具がなくても、発熱体を利用して簡単に食べ物の調理や料理を温めること
ができる発熱容器に関する。
【背景技術】
【０００２】
室内には調理用の加熱器具が揃っているため、食べ物の調理や料理を温めることが難し
くない環境である。ところが、登山や釣りなどの野外活動時には、食べ物の調理や料理を
温めるためにバーナーなどの加熱器具を必ず準備しなければならない。しかも、このよう
な加熱器具は環境汚染や火災の危険性があるため、野外での利用制限、または禁止のとこ
ろも多く、このような場所では食べ物の調理や料理を温めることが難しくなる。
【０００３】
そこで、加熱器具の利用が許容されない野外での活動時には、現地で買って食べるか、
または別途の保温容器などに食べ物を入れて携帯するしかない。だが、保温容器を持つの
も面倒なことで、保温時間の制限もあるなど不便である。何より、食べたい物を食べたい
場所で簡単に調理して食べられないという問題がある。
【０００４】
このような問題を解決するために、容器本体の内部に内容物と密封された袋体の発熱体
を備えて、内容物の加熱時、袋体の発熱体を取り出して開封した後、水を入れて反応させ
食べ物を温めるなど様々な構成を持つ発熱容器が開発されて使われている。
【０００５】
上記のように、発熱体を容器に内装して容器内の食べ物を調理または温めるように作ら
れた従来の発熱容器は、野外でも別途の加熱器具がなくても、その場で発熱体を利用して
調理できるという長所がある。しかし、この内部にはインスタント食品しか内装できない
ため、家で作った料理の保管や携帯はできないという問題がある。
【０００６】
そこで、本出願人は、発熱体が位置する空間と食物を調理する空間を分離して、家で作
った料理も保管や携帯できるように作られた発熱容器を開発し、実用新案（韓国実用新案
公開番号第２０−２００９−０００９３４７号、以下「先行文献」という)を出願したこ
とがある。
【０００７】
先行文献による発熱容器は、調理または調理準備済みの食べ物を入れる内装容器と、内
装容器を内装して発熱体を入れる本体と、内装容器を内装した本体の上部と結び付いて本
体の内部と共に内装容器を密閉する密閉蓋と、本体内で水と反応して発熱反応を起こすこ
とで本体内の水を加熱して食べ物が入っている内装容器を加熱する発熱体と、本体内の水
蒸気を排出する排出穴を備えている。
【０００８】
このような先行文献による発熱容器は、野外で食べたい物を調理できるように事前に調
理できる食材を準備して入れたり、野外で温めて食べられる調理済みの食べ物を入れたり
して、野外でも発熱体を利用して簡単に調理や料理を温めることができる。
【先行技術文献】
【特許文献】
【０００９】
【特許文献１】韓国実用新案公開番号第２０−２００９−０００９３４７号公報
【考案の概要】
【考案が解決しようとする課題】
【００１０】
しかし、先行文献による発熱容器は、本体の上側に水蒸気の排出のための排出穴を形成
しなければならないので、排出穴の加工のための追加作業が必要となる。それに、内装容
器が単純に本体内に入っている状態なので、本体が傾くと本体の水が内装容器の中に流入
される恐れがある。
【００１１】
本発明の目的は、上述のとおり従来の問題点を解消するために案出されたもので、食べ
物を入れる内装容器を完全に密閉して水が内蔵容器の中に流入できないようにすることと
、別途の排出穴を加工しなくても水蒸気を簡単に排出できる発熱容器を提供することであ
る。
【課題を解決するための手段】
【００１２】
前記目的を達成するために、本考案の発熱容器は、発熱体を入れて水を注ぐ本体と、本
体に挿入されて、内部に食べ物を入れて調理する内装容器と、内装容器の開放された上部
を密閉して、密閉時本体と結合される密閉蓋と、を備えており、本体と内装容器は剛性材
料で形成されて、本体内で水が沸く時発生する水蒸気が本体と内装容器の隙間を通して外
部に排出されるように作られている（請求項１）。
【００１３】
内装容器と密着する密閉蓋の密着部分は延性材料で形成されて、内装容器と密閉蓋は密
着できる（請求項２）。
【００１４】
密閉蓋を本体に結合させる脱着片が密閉蓋または本体に形成される（請求項３）。
【００１５】
本体の開放された上部には内装容器の上段が安着される安着部が形成されて、内装容器
の開放された上部には本体の安着部に掛かって内装容器が本体内にこれ以上挟まれないよ
うにする掛け部が形成される（請求項４）。
【００１６】
本体の安着部と内装容器の掛け部の間の間隙は０．０５〜０．１５ｍｍである（請求項
５）。
【００１７】
本体の上段部には内装容器の上段を外部に露出させる露出ホームが形成される（請求項
６）。
【００１８】
本体の内側底面と内装容器の間には、本体に対し内装容器を弾性支持する弾性部材が設
置され、本体の内側底面には弾性部材の下段が挟まれて弾性部材の位置を正せるように作
られた固定突起が突出形成される（請求項７）。
【００１９】
本体を包んで、発熱体の発熱時発生する熱が本体を通して外部に放出されて失われるこ
とを防止する保温材をさらに含む（請求項８）。
【考案の効果】
【００２０】
本考案の発熱容器には、下記のような効果がある。
【００２１】
一つ目、食べ物を入れる内装容器が密閉蓋と完全に密閉されることで、本体が傾いても
本体と内装容器の間に入っている水が内装容器の中に流入される恐れがない。また、水蒸
気が本体と内装容器の隙間を通して外部に排出されるようになっていて、水蒸気の排出の
ための排出穴の加工がいらないので製作費用の削減効果がある。
【００２２】
二つ目、本体の上段部に内装容器の上段が露出される露出ホームを形成することで、内
装容器を本体から容易に取り出すことができる。
【００２３】
三つ目、本体の内側底面と内装容器の間に、本体に対し内装容器を弾性支持する弾性部
材を設置することで、密閉蓋を閉める時は弾性部材が圧縮されていて、密閉蓋を開ける時
は弾性部材の復原力によって内装容器の上段部が本体の上部に突き出されて内装容器を本
体から容易に取り出すことができる。
【００２４】
四つ目、本体を保温材で包んで、発熱体の発熱時発生する熱が本体を通して失われるこ
とを防止することで、発熱効率を高めることができる。
【図面の簡単な説明】
【００２５】
【図１】本考案の第１実施例に従う発熱容器の斜視図である。
【図２】図１の分解斜視図である。
【図３】図１の縦端面図である。
【図４】本考案の第２実施例に従う発熱容器から密閉蓋を分離した状態の分解斜視図である。
【図５】図４の密閉蓋を本体に結び付けた様子を現わした縦端面図である。
【図６】本考案の第３実施例に従う発熱容器から密閉蓋を分離した状態の分解斜視図である。
【図７】本考案の第４実施例に従う発熱容器を現わした縦端面図である。
【図８】図７で密閉蓋を分離した状態の縦端面図である。
【図９】本考案の第５実施例に伴う発熱容器を現わした斜視図である。
【図１０】図９の分解斜視図である。
【考案を実施するための形態】
【００２６】
以下、本考案の望ましい実施例に従う発熱容器を、添付された図面を参照し詳細に説明
する。
【００２７】
図１は本考案の第１実施例に従う発熱容器の斜視図、図２は図１の分解斜視図、図３は
図１の縦端面図である。
【００２８】
本実施例に従う発熱容器１００は本体１１０、内装容器１２０及び密閉蓋１３０を含む
。
【００２９】
本体１１０は、内部に発熱体ｈを入れて水を注げる空間が形成されて、上部が開放され
る。このような本体１１０の横断面は四角形、または円形など多様な形状を形成できる。
本体１１０は伸縮性を持たず熱に強い剛性材料で製作される。
【００３０】
本体１１０の開放された上段には、内装容器１２０の上段が安着（安定的に着座）され
る安着部１１１が本体１１０の外側方向に水平に延びる。
【００３１】
内装容器１２０は本体１１０に挿入されて、その内部に食べ物を入れて調理することに
なる。このような内装容器１２０の横断面は本体１１０の横断面の形状に対応して形成さ
れる。内装容器１２０を本体１１０に挿入する時、本体１１０の内側底面と内装容器１２
０の底面は離隔するように形成されて、その隙間に発熱体ｈと水を入れる。本体１１０の
内部側面と内装容器１２０の側面も水蒸気の排出のために離隔させる。内装容器１２０は
内部に食べ物を入れる空間が形成されて、上部が開放される。内装容器１２０の開放され
た上段には本体１１０の安着部１１１に掛かってこれ以上挟まれないようにする掛け部１
２１が外側方向に水平に延びる。このような内装容器１２０は伸縮性を持たず熱に強くて
熱伝導率が優秀なアルミニウム、またはステンレスなどの剛性材料で製作される。
【００３２】
密閉蓋１３０は内装容器１２０の開放された上部を密閉して、密閉時本体１１０に結合
させる。このような密閉蓋１３０は、内装容器１２０の開放された上段の形状に対応して
形成されて、その底面の縁には内装容器１２０の上段が挿入される容器挿入ホーム１３１
が形成される。容器挿入ホーム１３１内には、伸縮性を持つ材質で形成されて内装容器１
２０の上段と密着することで内装容器１２０を密閉させるパッキング１３２が挿入される
。密閉蓋１３０の縁には、密閉蓋１３０を本体１１０に着脱できるように結合させるため
の複数個の脱着片１３３が一体となって形成される。
【００３３】
脱着片１３３は、密閉蓋１３０の縁の側面に上下回動可能な形で一体となって形成され
る。このような脱着片１３３の下段部には、脱着片１３３を本体１１０に固定する時指で
押せるように作られたくぼみ形状の押し部１３３ａが形成される。押し部１３３ａの内側
には本体１１０の安着部１１１に掛かるように作られた掛け金１３３ｂが突出形成される
。
【００３４】
このような脱着片１３３の構成によって、密閉蓋１３０を本体１１０に固定する時は、
押し部１３３ａを外側から内側に押して掛け金１３３ｂが本体１１０の安着部１１１に掛
かるようにして、密閉蓋１３０を本体１１０から分離しようとする時は、押し部１３３ａ
を内側から外側に引っ張って掛け金１３３ｂを本体１１０の安着部１１１から分離するよ
うにする。
【００３５】
本体１１０と内装容器１２０は、前述のとおり剛性材料で製作されるので、本体１１０
の安着部１１１に内装容器１２０の掛け部１２１が掛かって安着されても、安着部１１１
と掛け部１２１の間には微細な隙間ができるようになる。この隙間を通して本体１１０に
入っている水が沸いて発生する水蒸気が外部に排出される。本体１１０と内装容器１２０
の間隙、すなわち、安着部１１１と掛け部１２１の間の間隙は０．０５〜０．１５ｍｍが
望ましい。間隙が０．１５ｍｍを超えると水蒸気が過剰排出されて内装容器１２０の効率
的な加熱ができなくなり、間隙が０．０５ｍｍ未満になると水蒸気の排出が難しくなり本
体１１０と内装容器１２０の間の圧力が過多上昇する問題点がある。 
内装容器１２０の上段は、密閉蓋１３０のパッキング１３２と接するので隙間が生じな
い。すなわち、内装容器１２０は剛性材料で形成されて、パッキング１３２は伸縮性を持
つ延性材料で形成されることで、密閉蓋１３０を本体１１０に結合させると、内装容器１
２０とパッキング１３２の密着によって、内装容器１２０と密閉蓋１３０の間には隙間が
生じない。
【００３６】
一方、本体１１０内で内装容器１２０が占める高さａと、内装容器１２０の底面と本体
１１０の底面の間の高さｂの比率は７：３が望ましい。すなわち、この比率を維持すると
、発熱体ｈから発生する熱が内装容器１２０に効率的に伝導できる。
【００３７】
上記のような構成を持つ本考案の発熱容器１００によると、野外活動時に調理や料理を
温めるために準備しておいた食べ物を内装容器１２０に入れて、食べ物が入っている内装
容器１２０を本体１１０に入れた後、密閉蓋１３０を脱着片１３３を利用して本体１１０
に固定した状態で野外などに持って行くことができる。このように準備しておいた食べ物
を内装容器１２０に入れて移動することもできるし、調理のための食材をカバンなどに入
れて移動した後、調理する時カバンなどから取り出して内装容器１２０に入れることもで
きる。
【００３８】
野外で食べ物を調理したり温めたりする場合は、内装容器１２０を本体１１０から取り
出して、本体１１０の中に発熱体ｈを入れた後、内装容器１２０の下部が水に浸る位、ま
たは十分接触できる位の適量の水を注ぐ。それから、食べ物が入っている内装容器１２０
を本体１１０に入れて密閉蓋１３０を閉める。
【００３９】
水と接触した発熱体ｈは発熱成分の種類と性能などによって、水と反応して数分または
数十分にかけて水を約９２〜１００℃で加熱させ、加熱された水は内装容器１２０を加熱
して食べ物を調理したり温めたりする。
【００４０】
発熱体ｈによって水が加熱されて発生する水蒸気は本体１１０の上段と内装容器１２０
の上段の間の微細な隙間を通して外部に排出されるため、圧力増加などの問題は生じない
。 
図４は、本考案の第２実施例に従う発熱容器から密閉蓋を分離した状態の分解斜視図で
ある。図５は、図４の密閉蓋を本体に結び付けた様子を現わした縦端面図である。第１実
施例と同じ参照符号は同じ機能を持つ同一部材である。
【００４１】
本実施例に従う発熱容器１００によると、密閉蓋１３０を本体１１０に固定するための
脱着片１１２が密閉蓋１３０に形成されず、本体１１０の上段部の外側面に一体となって
形成される。脱着片１１２の上段部には脱着片１１２を密閉蓋１３０に固定する時指で押
せるように作られたくぼみ形状の押し部１１２ａが形成される。押し部１１２ａの内側に
は密閉蓋１３０の縁の上段に掛かるように作られた掛け金１１２ｂが突出形成される。
【００４２】
図６は、本考案の第３実施例に伴う発熱容器から密閉蓋を分離した状態の分解斜視図で
ある。第１実施例と同じ参照符号は同じ機能を持つ同一部材である。
【００４３】
本実施例に伴う発熱容器１００によると、本体１１０の上段部の両側に内装容器１２０
の上段を外部に露出させる露出ホーム１１３をそれぞれ形成することで、内装容器１２０
をやっとこなどで掴んだり手袋をはめた手で本体１１０から容易に分離したりすることが
できる。また、露出ホーム１１３を通して、発熱体により水が加熱されて発生する水蒸気
が外部に排出できる。
【００４４】
図７は、本考案の第４実施例に伴う発熱容器の縦端面図で、図８は図７で密閉蓋を分離
した状態の縦端面図である。第１実施例と同じ参照符号は同じ機能を持つ同一部材である
。
【００４５】
本実施例に伴う発熱容器１００によると、本体１１０の内側底面と内装容器１２０の間
には本体１１０に対し内装容器１２０を弾性支持するスプリング１４０が設置される。こ
の時、本体１１０の内側底面にはスプリング１４０の下段が挟まれて、内装容器１２０が
スプリング１４０を押す時、スプリング１４０の位置を正せるように作られた固定突起１
１４が突出形成される。
【００４６】
上記のような構成を持つ本考案の発熱容器１００によると、食べ物の調理や温める過程
では、図７のように密閉蓋１３０を本体１１０に結合させることになり、この過程でスプ
リング１４０は内装容器１２０に押されて圧縮される。食べ物の調理が終わって密閉蓋１
３０を開けると、図８のようにスプリング１４０の復原力によって内装容器１２０の上段
部が本体１１０の上方に突き出されることで、使用者は内装容器１２０を本体１１０から
容易に取り出すことができる。
【００４７】
図９は、本考案の第５実施例に伴う発熱容器を現わした斜視図で、図１０は図９の分解
斜視図である。第１実施例と同じ参照符号は同じ機能を持つ同一部材である。
【００４８】
本実施例に伴う発熱容器１００によると、本体１１０を保温材１５０で包むことにより
、発熱体ｈの発熱時発生する熱が本体１１０を通して外部に放出され失われることを防止
することができる。
【００４９】
保温材１５０はネオプレンのような断熱材で作られて、図面と同じように本体１１０の
側面と底面を全部包む形で形成されることもできれば、本体１１０の側面だけを包むよう
に形成されることもできる。
【００５０】
上記の説明のとおり、本考案に伴う望ましい実施例を添付した図面に基づいて説明した
が、本考案は特定の実施例に限定されるものではなく、該当分野で通常の知識を持ってい
る者が実用新案登録請求の範囲内に記載された範囲内で自由に変更することができる。一
方、本考案の実施例では、使用者が直接本体から内装容器を取り出したり、スプリングの
弾性力を利用して内装容器を本体から引き出したりできるように構成したが、これに限定
されず、本体にボタンを備えてボタンを押すことによって内装容器を本体から引き出せる
ように構成することもできる。
【符号の説明】
【００５１】
１００  発熱容器
１１０  本体
１１１  安着部
１１２  脱着片
１１３  露出ホーム
１１４  固定突起
１２０  内装容器
１２１  掛け部
１３０  密閉蓋
１３１  容器挿入ホーム
１３２  パッキング
１３３  脱着片
１４０  スプリング
１５０  保温材
【図１】
0003191693.tif 000003
【図２】
0003191693.tif 000004
【図３】
0003191693.tif 000005
【図４】
0003191693.tif 000006
【図５】
0003191693.tif 000007
【図６】
0003191693.tif 000008
【図７】
0003191693.tif 000009
【図８】
0003191693.tif 000010
【図９】
0003191693.tif 000011
【図１０】
0003191693.tif 000012